(57)【要約】【課題】不完全燃焼ガスによる事故を未然に防止することができるガス警報器及び警報システムを提供する。【解決手段】屋内５に設置されたガス燃焼器６によって生じる不完全燃焼ガスを検出するガス検出手段１１と、ガス検出手段１１によって前記不完全燃焼ガスが検出されたとき不完全燃焼ガスの発生を報知する報知手段１４と、を備えたガス警報器１０において、複数種類のガス燃焼器６が接続されたガス流路７を流れる燃料ガスの流量を計測するとともにこの計測した燃料ガスの流量に基づいて複数種類のガス燃焼器６のうち使用中のガス燃焼器６の種類を特定して通知するガスメータ２０に接続され、ガス検出手段１１によって不完全燃焼ガスが検出されたとき、ガスメータ２０から通知された使用中のガス燃焼器６の種類を報知する器具報知手段１４を備えている。【選択図】図１
2010032125.tif 000002
【特許請求の範囲】
【請求項１】
屋内に設置されたガス燃焼器によって生じる不完全燃焼ガスを検出するガス検出手段と、前記ガス検出手段によって前記不完全燃焼ガスが検出されたとき前記不完全燃焼ガスの発生を報知する報知手段と、を備えたガス警報器において、
複数種類の前記ガス燃焼器が接続されたガス流路を流れる燃料ガスの流量を計測するとともにこの計測した燃料ガスの流量に基づいて前記複数種類のガス燃焼器のうち使用中の前記ガス燃焼器の種類を特定して通知するガスメータに接続され、前記ガス検出手段によって前記不完全燃焼ガスが検出されたとき、前記ガスメータから通知された前記使用中のガス燃焼器の種類を報知する器具報知手段を備えている
ことを特徴とするガス警報器。
【請求項２】
請求項１に記載のガス警報器と、
屋内に設置された複数種類のガス燃焼器が接続されたガス流路を流れる燃料ガスの流量を計測するとともにこの計測した燃料ガスの流量に基づいて前記複数種類のガス燃焼器のうち使用中の前記ガス燃焼器の種類を特定して前記ガス警報器に通知するガスメータと、を備えている警報システム。
【発明の詳細な説明】
【技術分野】
【０００１】
本発明は、屋内に設置されたガス燃焼器によって生じる不完全燃焼ガスを検出して報知するガス警報器、及び、警報システムに関するものである。
【背景技術】
【０００２】
屋内に設置されたガス給湯器やガスコンロ、ガスファンヒータなどのガス燃焼器において、例えば故障や老朽化などを原因として、ＬＰガスや都市ガスなどの燃料ガス（以下、単にガスという）の燃焼時に、一酸化炭素（ＣＯ）や炭化水素（ＨＣ）などの人体にとって有害な不完全燃焼ガスが発生する不完全燃焼が起こるおそれがある。
【０００３】
そして、従来は、屋内に設置されたガス燃焼器によって生じる不完全燃焼ガスを検出するとともに屋内にいる利用者に警報し又は遠隔地にある監視センタに通報するガス警報器を設けて、人体に悪影響が生じる前に不完全燃焼ガスの発生を報知して、不完全燃焼ガスによって引き起こされる事故を未然に防いでいた。
【発明の開示】
【発明が解決しようとする課題】
【０００４】
しかしながら、このようなガス警報器は、不完全燃焼の発生を単に報知（即ち、警報及び通報など）するものであるので、不完全燃焼が報知されても、屋内に複数のガス燃焼器が設置されている場合は、いずれのガス燃焼器において不完全燃焼ガスが生じたものか直ぐに判別することができず、そのため、不完全燃焼が生じたガス燃焼器を特定するのに時間を要してしまい、適切な対処が遅れて不完全燃焼ガスによる事故が発生するおそれがあった。
【０００５】
本発明は、上記課題に係る問題を解決することを目的としている。即ち、本発明は、不完全燃焼ガスによる事故を未然に防止することができるガス警報器及び警報システムを提供することを目的としている。
【課題を解決するための手段】
【０００６】
請求項１に記載された発明は、上記目的を達成するために、屋内に設置されたガス燃焼器によって生じる不完全燃焼ガスを検出するガス検出手段と、前記ガス検出手段によって前記不完全燃焼ガスが検出されたとき前記不完全燃焼ガスの発生を報知する報知手段と、を備えたガス警報器において、複数種類の前記ガス燃焼器が接続されたガス流路を流れる燃料ガスの流量を計測するとともにこの計測した燃料ガスの流量に基づいて前記複数種類のガス燃焼器のうち使用中の前記ガス燃焼器の種類を特定して通知するガスメータに接続され、前記ガス検出手段によって前記不完全燃焼ガスが検出されたとき、前記ガスメータから通知された前記使用中のガス燃焼器の種類を報知する器具報知手段を備えている
ことを特徴とするガス警報器である。
【０００７】
請求項２に記載された発明は、請求項１に記載のガス警報器と、屋内に設置された複数種類のガス燃焼器が接続されたガス流路を流れる燃料ガスの流量を計測するとともにこの計測した燃料ガスの流量に基づいて前記複数種類のガス燃焼器のうち使用中の前記ガス燃焼器の種類を特定して前記ガス警報器に通知するガスメータと、を備えている警報システムである。
【発明の効果】
【０００８】
請求項１、２に記載された発明によれば、屋内の雰囲気から不完全燃焼ガスが検出されたときに、ガスメータから通知された使用中のガス燃焼器の種類を報知するので、不完全燃焼ガスを発生させているガス燃焼器を迅速に特定することができ、対処の遅れを防いで不完全燃焼ガスによる事故を未然に防止することができる。
【発明を実施するための最良の形態】
【０００９】
以下、本発明に係るガス警報器及び警報システムの一実施形態を、図１〜図２を参照して説明する。このガス警報器及び警報システムは、ガス燃焼器６で燃焼されるＬＰガスや都市ガスなどの燃料ガス、ガス燃焼器６による燃料ガスの不完全燃焼によって生じる一酸化炭素、及び、屋内５で発生した火災、などを検出して報知するものである。なお、本発明において、「報知」とは、検出された情報を知らせるべきもの（人、装置など）に知らせることを意味し、例えば、屋内にいる利用者への警報や監視センタへの通報などを含む。
【００１０】
警報システム１は、図１に示すように、ガス警報器１０と、ガスメータ２０と、を備えており、例えば、ガス給湯器、ガスコンロ、ガスファンヒータなどそれぞれ種類が異なる複数のガス燃焼器６が設置された屋内５に設けられている。ガス警報器１０は、一酸化炭素センサ（ＣＯセンサ）１１と、ガスセンサ１２と、火災センサ１３と、制御部１４と、を備えており、これらは屋内５に設置されている。
【００１１】
ＣＯセンサ１１は、屋内５の雰囲気中に含まれる不完全燃焼ガスとしての一酸化炭素と反応し、その濃度に応じて出力を変化させる周知のセンサである。同様に、ガスセンサ１２は、屋内５の雰囲気中に含まれるプロパンやブタンなどの燃料ガスの成分ガスと反応し、その濃度に応じて出力を変化させる周知のセンサである。ＣＯセンサ１１及びガスセンサ１２には、接触燃焼式センサや半導体式センサが用いられる。なお、ＣＯセンサ１１は、請求項中のガス検出手段に相当する。火災センサ１３は、屋内５の雰囲気中の煙又は屋内５の雰囲気の温度に基づいて火災を検出する周知の光電式センサ又は熱式センサである。
【００１２】
制御部１４は、上記ＣＯセンサ１１、ガスセンサ１２、火災センサ１３、及び、後述するガスメータ２０が有線または無線で接続されている。また、制御部１４は、通信回線などを介して監視センタ３とも接続されている。制御部１４は、例えば、マイクロコンピュータなどで構成されている。
【００１３】
制御部１４は、ＣＯセンサ１１の出力に基づいて屋内５の雰囲気中に含まれる一酸化炭素の濃度を算出して予め定められた基準値と比較し、算出した一酸化炭素の濃度が基準値を超えていたとき、雰囲気から一酸化炭素を検出したと判断して、ガス警報器１０に設けられた図示しないＬＥＤを点灯するとともに一酸化炭素の発生を知らせるメッセージ（例えば、「一酸化炭素が発生しています」など）を流して一酸化炭素の発生を屋内５にいる利用者に警報し、さらに、通信回線を介して監視センタ３に所定の電文を送信して一酸化炭素の発生を通報する。
【００１４】
また、制御部１４は、ガスセンサ１２の出力に基づいて屋内５の雰囲気中に含まれる燃料ガスの濃度を算出して予め定められた基準値と比較し、算出した燃料ガスの濃度が基準値を超えていたとき、雰囲気から燃料ガスを検出したと判断して、上記ＬＥＤを点灯するとともにガス漏れ発生を知らせるメッセージ（例えば、「ガスが漏れています」など）を流して燃料ガスが漏れていることを屋内５にいる利用者に警報し、さらに、通信回線を介して監視センタ３に所定の電文を送信してガス漏れを通報する。また、制御部１４は、火災センサに基づいて屋内５における火災の発生を検出したとき、火災が発生していることをＬＥＤ及びメッセージ等で警報し、さらに、通信回線を介して監視センタに火災の発生を通報する。
【００１５】
また、制御部１４には、後述するガスメータ２０から複数のガス燃焼器６のそれぞれについての「使用中」又は「未使用」を示す使用状態情報が通知される。そして、制御部１４は、ＣＯセンサ１１の出力に基づいて一酸化炭素を検出したときに、使用状態情報が「使用中」のガス燃焼器６の種類を知らせるメッセージ（例えば、「ガス給湯器（もしくは、ガスコンロ、ガスファンヒータ）が使用中です」、又は、「ガス給湯器（もしくは、ガスコンロ、ガスファンヒータ）から一酸化炭素が発生しています」など）を流して屋内５にいる利用者に通知し、さらに、通信回線を介して監視センタ３に所定の電文を送信して使用中のガス燃焼器６を通知する。制御部１４は、請求項中の報知手段及び器具報知手段に相当する。
【００１６】
ガスメータ２０は、例えば、マイクロコンピュータなどを備えており、ガス源４と各ガス燃焼器６とを連通するガス流路としてのガス管７を流れる燃料ガスの流量を計測し、計測した流量に基づき算出したガス消費量などを表示する装置である。一般的にガス燃焼器６は、その種類によって代表的な燃料ガスの消費パターン（即ち、流量の変動パターン。例えば、ガスコンロであれば大きな流量の変動が無く一定しており、また、ガスファンヒータなどでは、定期的に流量変動を繰り返すなど）、が予め判っている。そして、ガスメータ２０は、ガス管７に接続された各ガス燃焼器６の流量の変動パターンを予め記憶しており、ガス管７を流れる燃料ガスの流量とともに流量の変動パターンを計測して予め記憶した流量の変動パターンと比較を行い、各ガス燃焼器６の使用状態を判定して、各ガス燃焼器６のそれぞれの使用状態を示す使用状態情報を上述したガス警報器１０に通知する。
【００１７】
次に、上述した構成の警報システムの動作の一例について、図２のフローチャートを参照して以下説明する。ガス警報器１０の制御部１４は、屋内５に設置された各ガス燃焼器６の使用状態の変化に応じて、ガスメータ２０から通知される該ガス燃焼器６の使用状態を取得する（ステップＳ１）。そして、制御部１４は、屋内５の雰囲気から一酸化炭素を検出すると（ステップＳ２でＹ）、一酸化炭素が検出されたことを報知し（ステップＳ３）、さらに、使用状態が「使用中」のガス燃焼器６があるときは（ステップＳ４でＹ）、「使用中」のガス燃焼器６を報知したあと（ステップＳ５）、本フローチャートの処理を終了する。また、使用状態が「使用中」のガス燃焼器が無いときは（ステップＳ４でＮ）、そのまま、本フローチャートの処理を終了する。
【００１８】
以上より、本発明によれば、屋内の雰囲気から一酸化炭素が検出されたときに、ガスメータ２０から通知された使用中のガス燃焼器６の種類を報知するので、不完全燃焼ガスを発生させているガス燃焼器６を迅速に特定することができ、対処の遅れを防いで不完全燃焼ガスによる事故を未然に防止することができる。
【００１９】
なお、本実施形態では、ＣＯセンサ１１、ガスセンサ１２、火災センサ１３、をそれぞれ備えるものであったが、これに限らず、少なくともＣＯセンサを備えていれば、他のセンサを備えることは任意である。
【００２０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００２１】
【図１】本発明に係るガス警報器及び警報システムの一実施形態を示す概略図である。
【図２】図１のガス警報器を構成する制御部の処理手順を示すフローチャートである。
【符号の説明】
【００２２】
１        警報システム
６        ガス燃焼器
７        ガス管（ガス流路）
１０      ガス警報器
１１      一酸化炭素センサ（ガス検出手段）
１４      制御部（報知手段、器具報知手段）
２０      ガスメータ
【図１】
2010032125.tif 000003
【図２】
2010032125.tif 000004